Podtech/llm-jp-corpus-v4-ja_patent huggingface dataset:
(57)【要約】      （修正有）【課題】トムソン刃を加工精度の良い長さに切断研磨する。【解決手段】トムソン刃を切断して切り離す前に始端、終端に研磨時の逃がし２４のある形状またはテ−パ状の金型でトムソン刃の上部のみ打ち抜き、下部がつながっているまま、始端と終端のを研磨し、その後、切り離す。トムソン刃の金型切断による欠けをトムソン刃の全長切断前に研磨部の逃がし２４のある金型で上部を抜き始端、終端を研磨後、切断することで、長さ精度の良いトムソン刃になる。【選択図】図４
2013141671.tif 000002
【特許請求の範囲】
【請求項１】
トムソン刃加工装置で、トムソン刃を一定長で切断する前に始端１３、終端１４を角型８またはテ−パ型１１または複合型１２でつなぎ部２５を残し本体６と刃先５を打ち抜き、始端１３と終端１４を研磨後、つなぎ部２５を切り離すことを特徴とするトムソン刃加工方法。
【発明の詳細な説明】
【技術分野】
【０００１】
本発明は、トムソン刃加工法に関する。
【背景技術】
【０００２】
従来、トムソン刃の一定長の切断は金型で切断されてきた。
【先行技術文献】
【特許文献】
【０００３】
【特許文献１】特開平０５-２１６９９公報
【特許文献２】特開平１０-５８０４１公報
【発明の概要】
【発明が解決しようとする課題】
【０００４】
切断面の刃先が特に硬いトムソン刃を金型切断すると、切断面に欠けが生じ、後加工で研磨すると、切断長がばらつくので、切断長誤差の無いトムソン刃を作ることを目的とする。
【課題を解決するための手段】
【０００５】
トムソン刃加工装置で、トムソン刃を一定長で切断する前に始端１３、終端１４を角型８またはテ−パ型１１または複合型１２でつなぎ部２５を残し本体６と刃先５を打ち抜き、始端１３と終端１４を研磨後、つなぎ部２５を切り離すことを特徴とするトムソン刃加工方法。
【発明の効果】
【０００６】
トムソン刃加工装置において、全長の精度と端面の面粗度の良いトムソン刃の切断ができる。
【図面の簡単な説明】
【０００７】
【図１】本発明の金型打ち抜き形状図（ａ）角型打ち抜き研磨（ｂ）テ−パ型打ち抜き研磨（ｃ）複合型打ち抜き研磨
【図２】本発明の先端研磨による突き合わせ加工図
【図３】従来のトムソン抜き型方法（ａ）トムソン抜き型（ｂ） ベ−ス板と加工形状溝（ｃ）加工方向と突き合わせ（ｄ）トムソン刃断面（ｅ） 欠け部
【図４】本発明のトムソン刃加工装置の全体構成図（ａ）全体構成（ｂ）研磨加工詳細
【図５】本発明の加工工程図（ａ）加工前刃（ｂ）始端の金型打ち抜き（ｃ）終端の金型打ち抜き（ｄ）始端の研磨（ｅ）終端の研磨（ｆ）始端の下部切断（ｇ）後端の下部切断
【発明を実施するための形態】
【０００８】
図３は、従来のトムソン抜き型方法をあらわす。
（ａ）はトムソン抜き型を示し、ベ−ス板２とそこに埋め込まれたトムソン刃1からなる。
（ｂ）はベース板２と形状加工溝３を示し、ベース板２に前もって刃幅に応じた形状加工溝３をレ−ザ加工機等で溝加工しておき、トムソン刃を加工機で切断曲げ加工し、形状加工溝３に植え込み、トムソン抜き型をつくる。
（ｃ）は加工方向と突き合わせを示し、始端１３から終端１４に向けて加工していき、刃の突き合わせ部４ができている。
（ｄ）はトムソン刃１の断面を示し、本体６と刃先５からなり、刃先は本体に比べて特に硬度が高く金型切断すると刃先５の先端が0.02ｍｍ程度の欠け７ができ、（C）の様に加工して突き合わせ部４をつくると、切れない部分ができる。
（ｅ）は突き合わせ部の欠け７を示し、切断後に欠け７を研磨していたが、切断後に研磨すると全長精度がでない。
【０００９】
図４は本発明のトムソン刃加工装置の全体図をあらわす。
トムソン刃加工装置は送り装置１６でコイル状トムソン刃１５を金型装置１７、曲げ装置１８、研磨装置１９、切断装置２０に前後可能に自由に位置決めできるようになっており、金型装置１７は角型８またはテ−パ型１１または複合型１２に交換でき、曲げ装置１８で曲げ加工を研磨装置１９で、始端研磨部９、終端研磨部１０が、切断装置２０でトムソン刃１の切断切り離しができるようになっている。
【００１０】
図５は本発明のトムソン刃加工装置の加工工程図を示す。
（ａ）は加工前のトムソン刃の先端部をあらわす。
（ｂ）は始端部を角型で抜いたところを示す。
（ｃ）は終端部を角型で抜いたところを示す。
（ｄ）は始端研磨部を研磨したところを示す。
（ｅ）は後端研磨部と多数個加工のための次の始端研磨部を研磨したところを示す。
（ｆ）は先端部を切断したところを示す。
（ｇ）は後端部を切断し、次の先端部も切断したところを示す。
【００１１】
今、金型抜き装置１７には角型８がセットされているとする。
（１）（ｂ）に示す様にトムソン刃の始端１３加工位置を金型装置１７に移動し、各型８で加工。
（２）（ｃ）に示す様にトムソン刃の後端１４加工位置を金型装置１７に移動させ、角型８を加工
（３）（ｄ）に示す様に始端研磨部９を研磨装置１９に移動させ研磨、
（４）（ｅ）に示す様に終端研磨部１０を研磨装置１９に移動させ研磨
続いて次の加工の為の始端研磨部９も研磨
（５）（ｆ）に示す様に始端１３を切断装置２０に移動させ、切断部２１を切断して
始端を完成させる。
（６）  曲げがある時は、曲げ装置１８に移動させ曲げ加工実行。
（７）（ｇ）に示す様に後端１４を切断装置２０に移動させ、切断部２１を切断し、    
完成品２２ができる。
【００１２】
この完成品２２を加工形状溝３に植え込むと、図２に示すように、始端１３、終端１４がきれいに合わさったトムソン刃になる。
【００１３】
大型液晶パネルなどの全長が数メ−トルになる長いトムソン刃１の全長を正確に切断できるようになり、きれいな突き合わせ部４ができる。
【符号の説明】
【００１４】
１    トムソン刃
２    ベース板
３    形状加工溝
４    突き合わせ部
５    刃先
６    本体
７    欠け
８    角型
９    先端研磨部
１０  終端研磨部
１１  テーパ型
１２  複合型  
１３  始端
１４  終端
１５  コイル状トムソン刃
１６  送り装置
１７  金型装置
１８  曲げ装置
１９  研磨装置
２０  切断装置
２１  切断部
２２  完成品
２３  研磨砥石
２４  逃がし
２５  つなぎ部
【図１】
2013141671.tif 000003
【図２】
2013141671.tif 000004
【図３】
2013141671.tif 000005
【図４】
2013141671.tif 000006
【図５】
2013141671.tif 000007
(57)【要約】      （修正有）【課題】回転機械よりの衝撃を吸収するための複雑な機構を必要としない、衝撃を吸収しながらペダル回転ができる装置を提供する。【解決手段】回転機械から伝えられるクランク１に接続されているペダル４に反力が回転機械からくる、その反力は引っ張りバネ３に伝え、回転機械からくる反力は軽減される。また押圧はペダル４によりバネ３を引き、ピンジョイント部５に伝わる。ピンジョイント５は回転モーメント及びペダルよりの押圧がかかり、引っ張りバネ３に掛かった引張り力からペダルにかけた押圧の差が増力になる。【選択図】図１
2013054712.tif 000002
【特許請求の範囲】
【請求項１】
回転機械から伝えられるクランク▲１▼に接続されている▲４▼のペダルに反力が回転機械からくる、その反力は▲３▼の引っ張りバネに伝え回転機械からくる反力は軽減されるまた押圧は▲４▼のペダルにより▲３▼のバネを引き▲５▼のピンジョイント部に伝わる、▲５▼のピンジョイントは回転モーメント及びペダルよりの伝達力がかかり▲３▼の引っ張りバネに掛かった引張り力からペダルにかけた伝達力の差が増力になる、以上からなる装置。
【発明の詳細な説明】
【技術分野】
【０００１】産業機械における人体に対する安全および負担軽減装置
【背景技術】
【０００２】産業機械において反動に対して人体は、弱くその衝撃に対して簡単な装置で衝撃を吸収し、なおかつ軽く踏み込め増力できるペダル装置はなかった。
【発明の概要】
【発明が解決しようとする課題】  突然の回転体における反動をそのまま人体にかかってこないための必要な装置また、衝撃を吸収しながらペダルを軽く回せ、なおかつ増力出来る装置が必要になっている。
【課題を解決するための手段】回転機械から伝えられるクランク▲１▼に接続されている▲４▼のペダルに反力が回転機械からくる、その反力は▲３▼の引っ張りバネに伝え回転機械からくる反力は軽減される
また押圧は▲４▼のペダルにより▲３▼のバネを引き▲５▼のピンジョイント部に伝わる、▲５▼のピンジョイントは回転モーメント及びペダルよりの押圧がかかり▲３▼の引っ張りバネに掛かった引張り力からペダルにかけた押圧の差が増力になる。
【発明の効果】上述したように部品数が少ない装置によって衝撃吸収と増力が簡単に行うことができる。
【図面の簡単な説明】
【図１】▲１▼−クランク、▲２▼−ベヤリング入り回転軸、▲３▼−引っ張りバネ、▲４▼−ペダル、▲５▼−ピンジョイント
【発明を実施するための形態】
回転機械から伝えられるクランク▲１▼に接続されている▲４▼のペダルに反力が回転機械からくる、その反力は▲３▼の引っ張りバネに伝え回転機械からくる反力は軽減される
また押圧は▲４▼のペダルにより▲３▼のバネを引き▲５▼のピンジョイント部に伝わる、▲５▼のピンジョイントは回転モーメント及びペダルよりの押圧がかかり▲３▼の引っ張りバネに掛かった引張り力からペダルにかけた押圧の差が増力になる、以上からなる装置。
【産業上の利用可能性】自転車、車椅子、回転機械、などの衝撃吸収装置及び増力装置、回転力伝達装置。
【符号の説明】▲１▼−クランク、▲２▼−ベヤリング入り回転軸、▲３▼−引っ張りバネ、▲４▼−ペダル、▲５▼−ピンジョイント、
【図１】
2013054712.tif 000003
(57)【要約】      （修正有）【課題】携帯電話、その他の携帯端末、パソコンなどに書籍の内容の一部、もしくは全部を朗読した音声データファイルをダウンロードし、それぞれの装置で再生できるシステムを提供する。【解決手段】書籍にＱＲコード（登録商標）や音声データへのリンクを印刷し、音声データをサーバーにアップロードし、使用可能にすることによって、書籍の音声データを携帯電話、携帯端末やパソコンに簡単にダウンロードできる仕組みを提供し、使用者は更新可能な音声データをいつでもアクセスでき、ＣＤやＤＶＤなどの特定の媒体を購入する必要がなく、また再生専用の装置を新たに購入する必要がないので、携帯電話、携帯端末、パソコンを利用し、インターネットから書籍の音声データや音声データ及び操作用ソフトウエアをダウンロードし、携帯電話、携帯端末、パソコン、ＭＰ３プレーヤーなどで再生できる。【選択図】図１
2013054710.tif 000002
【特許請求の範囲】
【請求項１】
ＱＲコードなどを携帯電話や携帯端末に読む込むことによって、または音声データのリンクを携帯電話、携帯端末、パソコンなどに直接入力することによって、音声データまたは音声データと操作用ソフトウエアをダウンロードし、書籍の内容の一部、または全部が朗読された音声データ、もしくは補足の音声データを携帯電話、携帯端末（ｉＰａｄなど）やパソコンで再生することができる。
【請求項２】
一般的に利用されている携帯電話機器、携帯端末、パソコンに書籍内容や書籍内容補足を音声データとしてダウンロードし、再生できるようにするための仕組み。
【発明の詳細な説明】
【技術分野】
【０００１】  この発明は、携帯電話、その他の携帯端末、パソコンなどに書籍の内容の一部、もしくは全部を朗読した音声データファイルや書籍内容の補足を含んだ音声データファイルもしくは音声データファイル及び操作用のソフトウエアをダウンロードし、それぞれの装置で再生できるようにする。
【背景技術】
【０００２】  従来の仕組みでは書籍にカセットテープ、ＣＤ、ＤＶＤ、専用音声再生装置を付けるなどといった形で書籍に音声データを付録してきたが、本システムにおいて、新たな特定の媒体再生用の装置を必要とせず、一般的に普及している携帯電話、携帯端末、パソコンなどやＱＲコード、データへのリンクの直接入力によって書籍の音声データをダウンロードし、再生できるようになる。
【先行技術文献】
【特許文献】
【０００３】
【特許文献１】特開２００４−１０６５０４
【特許文献２】特開平１１−２６７７７３
【発明の概要】
【発明が解決しようとする課題】
【０００４】  しかしながら、以上の技術によれば、データ媒体を読み取り、再生するための専用端末（機器）が必要であったり、音声データそのものがコードに組み込まれていたりするため、その特定な装置がなければ、音声データを再生することができないため、利用者は再生機器を購入する必要があり、コストが高く、システム普及の妨げとなる。
そこで、この発明は、一般的に使われている携帯電話、携帯端末、パソコンやパソコン経由でＭＰ３プレーヤーに、ＱＲコードやリンクを直接入力することによって書籍の音声データをダウンロードし、気軽に再生できるシステムを提供することを課題とする。
【課題を解決するための手段】
【０００５】  以上の課題を解決するために、本発明は、書籍にＱＲコードやデータへのインターネットリンクを印刷し、一般的に使われている携帯電話、携帯端末などにＱＲコードを読み込むかリンクを直接入力することによって、書籍の一部もしくは全部の朗読音声データや書籍内容の補足説明の音声データ、または音声データ及び操作ソフトウエア保管先のリンクを認識させ、ダウンロードすることによって、携帯電話、携帯端末やパソコンなどで書籍の音声データを再生できる仕組みである。
【発明の効果】
【０００６】  本発明によれば、書籍に印刷されているＱＲコードなどの読み込みかデータリンクの入力によって、書籍の音声データまたは音声データ及び操作用ソフトウエアはどこでも携帯電話、携帯端末やパソコンなどにダウンロードができ、再生できることによって、専用端末の開発、製造や使用者による購入の必要がなく、簡単に書籍の音声データを提供できる。
サーバー（インターネット）側で音声データを更新することによって、出版された書籍の補足などを簡単に提供できる。
利用者はＱＲコードを携帯電話や携帯端末に読み込むかパソコンでリンクを入力することによって、音声データや音声データ及び操作用ソフトウエアをダウンロードでき、ＣＤやＤＶＤなど付録媒体を製作する必要がなく、便利な音声書籍出版が可能になる。書籍とともに音声データを簡単に提供でき、便利で簡単に再生できることによって、満員電車の中などの公共交通手段や車移動の際にも書籍の情報にアクセスすることができる。
【図面の簡単な説明】
【０００７】
【図１】この発明の一実施形態を示す図面である。
【発明を実施するための形態】
【０００８】  この発明の一実施形態を、図１に示す。
１）書籍にＱＲコードやリンクなどを印刷する。
２）書籍用音声データや音声データ及び操作用ソフトウエアを用意し、サーバーにアップロードする。
３）利用者はＱＲコードを携帯電話、携帯端末、パソコンなどに読み込んだり、直接リンクを入力したりして、書籍の音声データや音声データ及び操作用ソフトウエアをダウンロードする。
４）ダウンロードした音声データや音声データ及び操作用ソフトウエアを自由に再生したり、コピーしたりすることができる。
【０００９】「実施形態の効果」
この実施形態によれば、外国語学習、観光案内書、一般書籍でも読むだけではなく、耳で聴くことができ、情報伝達効率、学習効果向上を期待できる。
【図１】
2013054710.tif 000003
(57)【要約】【課題】  従来のタッチタイピング学習ソフトウェアは、キー入力すべき文字を提示した直後に入力するため、学習者が慌ててしまい、誤ったキーを打鍵するミスを犯しやすく、学習効率が上がらなかった。【解決手段】  本発明のタッチタイピング学習ソフトウェアは、キー入力すべき複数の文字（一文字の場合を含む）を画面に提示した後、直ちにはキー入力を行えず、ある程度の時間の経過後からキー入力できるようになり、その後に学習者が提示された文字に該当するキー入力を行うことを特徴とするタッチタイピング学習ソフトウェアであって、キー入力できるようになるタイミングを学習者が予測および認知できることを特徴とするタッチタイピング学習ソフトウェアであり、学習者が慌てることなく正しい打鍵をすることを促すことができ、学習効率を高めることができる。【選択図】図１
2013054328.tif 000002
【特許請求の範囲】
【請求項１】
キー入力すべき複数の文字（一文字の場合を含む）を画面に提示した後、直ちにはキー入力を行えず、ある程度の時間の経過後からキー入力できるようになり、その後に学習者が提示された文字に該当するキー入力を行うことを特徴とするタッチタイピング学習ソフトウェアであって、キー入力できるようになるタイミングを学習者が予測および認知できることを特徴とするタッチタイピング学習ソフトウェア。
【発明の詳細な説明】
【技術分野】
【０００１】  本発明は、タッチタイピング学習ソフトウェアに関するものである。
【背景技術】
【０００２】  コンピューター等のキーボードのタッチタイピング（キーを目視することなく打鍵すること、ブラインドタッチ）の技能の学習過程は、正しいキーを打つ練習を繰り返すことによって、キーの位置や運指を意識することなしに打鍵できるようになる過程である。【０００３】  コンピューターを用いたタッチタイピングの学習は、コンピューターがキー入力するべき文字を提示し、学習者が該当キーを入力するのが基本的な形態であるが、この学習を効率的に行えるようにするため、様々な工夫が行われてきた。【０００４】  キーの位置を目視することは学習の大きな妨げになるため、学習者がキーボードを目視できないようにしたものとして、特許文献１がある。目視しなくても指の触覚でキーを識別できるようにしたものとして、特許文献２がある。練習を繰り返す意欲を高めるために、ゲーム性や語学習得などの付加価値を付与したものとして、特許文献３、特許文献４がある。
【先行技術文献】
【特許文献】
【０００５】
【特許文献１】  特開２００４−２２０５４０号公報
【特許文献２】  特開２００８−６５５９７号公報
【特許文献３】  特開２００８−３４１０号公報
【特許文献４】  特開２００６−８４７５０号公報
【発明の概要】
【発明が解決しようとする課題】
【０００６】  しかし、従来のタッチタイピング学習ソフトウェアは、キー入力すべき文字を提示した直後に入力するため、学習者が慌ててしまい、誤ったキーを打鍵するミス（以下、ミスタッチ）を犯しやすいという問題があった。ミスタッチはその誤った動きが記憶されることにつながるため避けなければならないことである。【０００７】  従来のタッチタイピング学習ソフトウェアには、学習者が慌ててミスタッチすることを防ぐための効果的な仕組みがなく、ミスタッチをしないようにするのは学習者が気をつけるしかなかった。
【課題を解決するための手段】
【０００８】  本発明のタッチタイピング学習ソフトウェアは、キー入力すべき複数の文字（一文字の場合を含む）を画面に提示した後、直ちにはキー入力を行えず、ある程度の時間の経過後からキー入力できるようになり、その後に学習者が提示された文字に該当するキー入力を行うことを特徴とするタッチタイピング学習ソフトウェアであって、キー入力できるようになるタイミングを学習者が予測および認知できることを特徴とするものである。
【発明の効果】
【０００９】  本発明によれば、キー入力すべき複数の文字の提示からキー入力できるようになるまでの間（以下、タイムラグと記す）に、学習者が意識下もしくは無意識下においてキーを打つ順番を認識するので、ミスタッチを減らすことができ、また、キー入力が可能となるタイミングを予測および認知できるので、慌てることなく正しいキー入力ができる。タイムラグを長くすることにより、正しい打鍵を促す効果はより高まる。【００１０】  一方、キーの位置や運指を意識することなしに打鍵する技能を取得するためには、素早い打鍵を繰り返し行うことも重要となるが、本発明においてはタイムラグを少なくすれば素早い打鍵が促される。【００１１】  本発明においては、初学者の練習時にはタイムラグを長くして正しい打鍵を促すことができ、学習が進んでからはタイムラグを短くして素早い打鍵を促すことができる。学習進度に応じて、正しいキーを打つことと素早く打鍵することのバランスを調節することができるので、効率よく学習することができる。
【図面の簡単な説明】
【００１２】
【図１】  コンピューターの画面表示を示す図である。
【発明を実施するための形態】
【実施例】
【００１３】  実装の一つの形態として、初めに画面の下部にキー入力すべき文字を表示し、その表示位置を一定速度で上に移動させ、移動中はキー入力できないようにし、画面中央の所定位置にきたら文字色を変え、そのタイミングでキー入力可能とする（図１）。移動時間は初学者の場合で１秒程度であるが、学習進度に応じて増減させる。
【符号の説明】
【００１４】  １  コンピューター画面
２  初めに文字が表示される位置
３  上に移動する文字
４  キー入力可能となる位置
【図１】
2013054328.tif 000003
(57)【要約】      （修正有）【課題】演奏者が膝に乗せて演奏する時、ギターが安定するアコースティックギターを提供する。【解決手段】側面板４は、くびれた湾曲面を側面板４の長手方向に対して表板２から裏板へと約７０度のねじれ角度を設けて、アイロン等で熱を加えながら曲げて、形状を設ける。ギター１は、側面板４と表板２と裏板を接着して形成する。【選択図】図１
2013054330.tif 000002
【特許請求の範囲】
【請求項１】
側面板のくびれた湾曲面に側面板の長手方向に対して約７０度のねじれ角度を設けたことを特徴とするアコースティックギター。
【請求項２】
前記ボディーは、くびれた裏板の幅の長さを表板の幅の長さより約２ｃｍ短くしたことを特徴とする請求項１記載のアコースティックギター。
【発明の詳細な説明】
【技術分野】
【０００１】  この発明は、アコースティックギター系に関し、特にボディーの側面の形状に関するものである。
【背景技術】
【０００２】  従来のアコースティックギターのボディーの側面の形状は、図４に示すように、くびれた湾曲面は側面板５の長手方向に対して９０度の角度を設けて曲げたものである。【０００３】  上記の従来技術は、公然に実施されているものであり、出願人は、この従来技術が記載された文献を、本出願時において知見していない。
【発明の概要】
【発明が解決しようとする課題】
【０００４】  しかしながら、以上の技術によれば、アコースティックギターを膝に乗せて演奏する場合、ギターのくびれた湾曲面に乗せた時、ギターに対して膝を９０度の角度にして演奏するのは困難であり、また膝がギターの側面板に面として接していなく、裏板の線として接している。演奏している時、ギターが不安定になる。そこで、ギターの側面板に滑り止めのシールを貼ったり、膝の上に革製品の布を敷いたりしてギターを安定させていた。またボディーに腕を置いて弾くとき、アコースティックギターはボディーが大きく肩が上がって、肩が疲れたり痛くなったりする。
そこで、この発明は、演奏者が膝に乗せて演奏する時、ギターが安定し、肩が疲れにくくするアコースティックギターを提供することを課題とする。
【課題を解決するための手段】
【０００５】  以上の課題を解決するために、第一発明は、側面板のくびれた湾曲面に側面板の長手方向に対して約７０度のねじれ角度を設けたことを特徴とする。
また、第二発明は、ボディーのくびれた裏板の幅の長さを表板の幅の長さより約２ｃｍ短くしたことを特徴とする。
【発明の効果】
【０００６】  第一発明、または第二発明によれば、アコースティックギターで演奏する時、ギターが安定する効果があると共に、肩が２ｃｍ程度下がり、疲れず痛みもなく演奏し易くなるような効果がある。
【図面の簡単な説明】
【０００７】
【図１】本発明の一実施形態を示す斜視図である。
【図２】本発明の一実施形態を示す表側正面図である。
【図３】本発明の一実施形態を示す裏側正面図である。
【図４】従来技術を示す斜視図である。
【発明を実施するための形態】
【０００８】  この発明の一実施形態を、図１に示す。
ギター１の側面板４は、くびれた湾曲面に側面板４の長手方向に対して約７０度のねじれ角度を設けた。ボディーのくびれた裏板３の幅の長さを表板２の幅の長さより約２ｃｍ短くするように設けられている。
【０００９】「実施形態の効果」
この実施形態によれば、側面板４のくびれた湾曲面にねじれ角度を設けたアコースティックギター１は、演奏する時、ギター１が安定し、肩も約２ｃｍ下がり疲れず痛みも無く身体も心地よく楽しく演奏できるようになる。また、ギター１本体は美観で魅力が出てくる。
【００１０】「他の実施形態」
図１の実施形態では、側面板４のくびれた湾曲面に側面板４の長手方向に対して約７０度のねじれ角度を設けたが、他の実施形態では、演奏者の使用状態によって、ねじれ角度を変化させたものでも良い。
【符号の説明】
【００１１】１  ギター
２  表板
３  裏板
４  側面板
５  側面板
６  膝
【図１】
2013054330.tif 000003
【図２】
2013054330.tif 000004
【図３】
2013054330.tif 000005
【図４】
2013054330.tif 000006
(57)【要約】【課題】解決すべき課題は、複数の周波数帯域で吸音効果を持ち、合成樹脂により形成された吸音体の板部分は基本的に中実（ソリッド）であるから、吸音体の共鳴による騒音の増幅で吸音どころか逆にうるさくなってしまいかねないという点である。【解決手段】熱硬化性樹脂を含浸させたウール状体からなり、且つ容積の異なる複数の共鳴器から構成される吸音板に基板を貼り合わせて広い周波数帯域の騒音エネルギーを吸収できるようにすることにより前記課題を解決した。【選択図】図２
2013174756.tif 000002
【特許請求の範囲】
【請求項１】
熱硬化性樹脂を含浸させたウール状体からなり、且つ容積の異なる複数の共鳴器から構成される吸音板に、基板を貼り合わせてなることを特徴とする吸音体
【請求項２】
請求項１における吸音板と基板が同材質であることを特徴とする請求項１記載の吸音体
【発明の詳細な説明】
【技術分野】
【０００１】
本発明は、複数の周波数帯域で吸音効果を有する吸音体に関する。
【背景技術】
【０００２】
複数の周波数帯域で吸音効果を有する吸音体に関する従来技術としては特許文献１に開示されているような合成樹脂により形成されたものがある。
【０００３】
しかし、合成樹脂により形成された吸音体の板部分は基本的に中実（ソリッド）であるから、
特許文献１に開示されているような単純な吸音体では、吸音体の共鳴による騒音の増幅で吸音どころか逆にうるさくなってしまいかねないという欠点があった。
【先行技術文献】
【特許文献】
【０００４】
【特許文献１】特開２００２−２９３３０号公報
【発明の概要】
【発明が解決しようとする課題】
【０００５】
解決しようとする課題は、複数の周波数帯域で吸音効果を持ち、合成樹脂により形成された吸音体の板部分は基本的に中実（ソリッド）であるから、吸音体の共鳴による騒音の増幅で吸音どころか逆にうるさくなってしまいかねないという点である。
本発明は上記の点を解決するためになされた。
【課題を解決するための手段】
【０００６】
熱硬化性樹脂を含浸させたウール状体からなり、且つ容積の異なる複数の共鳴器から構成される吸音板に、基板を貼り合わせてなることを最も主要な特徴とする。
【０００７】
また、吸音板と基板が同材質であることを第２の主要な特徴とする。
【発明の効果】
【０００８】
本発明によれば、広い周波数帯域の騒音エネルギーを吸収する吸音体を提供できるという利点がある。
【図面の簡単な説明】
【０００９】
【図１】本発明に係るアンダーカバーの斜視図
【図２】図１におけるＡ−Ａ断面を示す断面図
【図３】図１におけるＡ−Ａ断面を示す実施例２の断面図
【発明を実施するための形態】
【００１０】
広い周波数帯域の騒音エネルギーを吸収する吸音体を提供するという目的を、
熱硬化性樹脂を含浸させたウール状体からなり、且つ容積の異なる複数の共鳴器から構成される吸音板に、基板を貼り合わせることによって、
経済性を損なわずに実現した。
【実施例１】
【００１１】
本発明の構成を発明の実施の形態に基づいて説明すると次の通りである。
図１は、本発明の１実施例を示す自動車用エンジンのアンダーカバー１の斜視図である。
図２は、図１におけるＡ−Ａ断面を示す断面図である。
【００１２】
該アンダーカバー１はあらかじめ未硬化のフェノール樹脂が表面にスプレーされたグラスウールを熱プレスして大共鳴器５、中共鳴器６および小共鳴器７という容積の異なる複数の共鳴器が形成された吸音板２に、該吸音板２と同材質の基板３を貼り合わせて構成されている。
【００１３】
該アンダーカバー１の吸音原理は
各共鳴器内の空洞の空気の、空気バネとしての働きや、各共鳴器の天板、地板および側壁の、弾性板としての剛性等により定まる共鳴周波数における共鳴振動エネルギーが、
グラスウールの表面にスプレーされただけの少量のフェノール樹脂がグラスウールの内部にまでは深く浸透していないために多く残されたグラスウール内部の空隙を、前記共鳴振動によって空気が自身の慣性により前記弾性板の振動の位相とは反対の方向にグラスウール内部を通過、往復するときの通気抵抗によって前記共鳴振動エネルギーが減衰させられるという効果による。
【００１４】
その結果、該アンダーカバー１は低周波数帯域の周波数を該大共鳴器５で、中周波数帯域の周波数を該中共鳴器６で、高周波数帯域の周波数を該小共鳴器７でそれぞれ共鳴、吸音するので広い周波数帯域の騒音エネルギーを低減させることができる。
【実施例２】
【００１５】
図３は図１におけるＡ−Ａ断面を示す実施例２の断面図である。
実施例１同様、アンダーカバー１はあらかじめ未硬化のフェノール樹脂が表面にスプレーされたグラスウールを熱プレスして大共鳴器５、中共鳴器６および小共鳴器７という容積の異なる複数の共鳴器が形成された吸音板２に、該吸音板２と同材質の基板４を貼り合わせて構成されている。
【００１６】
実施例１と異なる点は、基板４にも大共鳴器５’、中共鳴器６’および小共鳴器７’という容積の異なる複数の共鳴器が形成されていることである。
【００１７】
実施例１同様、該アンダーカバー１は低周波数帯域の周波数を該大共鳴器５，５’で、中周波数帯域の周波数を該中共鳴器６，６’で、高周波数帯域の周波数を該小共鳴器７，７’でそれぞれ共鳴、吸音するので広い周波数帯域の騒音エネルギーを低減させることができる。
【００１８】
尚、上記各実施例では大共鳴器、中共鳴器、小共鳴器の３種類の大きさの共鳴器で該アンダーカバー１を構成する例を示したが、必要に応じてより多くの種類の大きさの共鳴器で構成すれば更に広い周波数帯域の騒音エネルギーを吸収できることは言うまでもない。
【００１９】
また、上記各実施例ではグラスウールにスプレーする樹脂をフェノール樹脂としたが、メラミン樹やユリヤ樹脂等、他の熱硬化性樹脂でもよい。
また、スプレーに限らず他の方法によって含浸させてもよい。
【００２０】
また、上記各実施例では吸音板２の材質をグラスウールとしたが、これに限るものではなくロックウールやフェルト等の、内部に空隙を有するウール状体であればよい。
【００２１】
また、上記各実施例では基板３または基板４の材質を吸音板２と同じとしたが、これに限るものではなく、形態もウール状でなくてもよい。
【００２２】
以上各実施例に述べたように本発明によれば、
熱硬化性樹脂を含浸させたウール状体からなり、且つ容積の異なる複数の共鳴器から構成される吸音板に、基板を貼り合わせて吸音体となしたため、
広い周波数帯域の騒音エネルギーを吸収できるという効果がある。
【産業上の利用可能性】
【００２３】
本発明は、自動車用エンジンのアンダーカバーに限らず、広い周波数帯域の騒音エネルギーを吸収できる吸音性能を必要とする吸音体に広く利用可能である。
【符号の説明】
【００２４】
１    アンダーカバー
２    吸音板
３    （実施例１の）基板
４    （実施例２の）基板
５，５’    大共鳴器
６，６’    中共鳴器
７，７’    小共鳴器
【図１】
2013174756.tif 000003
【図２】
2013174756.tif 000004
【図３】
2013174756.tif 000005
(57)【要約】【課題】地球の磁気の光子の方向と、その反対方向に回転する磁気の光子はどのように作用するか。この反対方向に回転する磁気の光子をどのように作るか。【解決手段】2本の平行な導線に電流を流す時、同じ方向に電流を流すと、引力ができ、逆方向に電流を流すと、反発力ができる。この事から、地球の磁気の光子の方向と、その反対方向に回転する磁気の光子は反発する。コンデンサーにより、地表の電子の回転と反対方向に電子を回転させる事により、電磁気の回転方向も逆になる。磁気の光子の回転方向も逆になる。この事によって、重力に反発する力ができる。【選択図】図１
2013174148.tif 000002
【特許請求の範囲】
【請求項１】
2本の平行な導線に電流を流す。同じ方向に電流を流す時、引力ができ、逆方向に電流を流す時、反発力ができる。これは、同じ方向に電流を流す時、2本の導線でできる磁気の光子は同じ方向に回転する磁気の光子を作るからです。同じ方向に回転する磁気の光子は引力を作る。また、逆方向に電流を流す時、2本の導線でできる磁気の光子は逆方向に回転する磁気の光子を作る。それで、磁気の光子は反発し合う。
この原理を応用する。
地球の表面の元素の最外殻の電子のラブが作る磁気の光子は地球の引力を作っている。それで、地球の表面の電子のラブの螺旋回転と反対方向に回転する電子のラブが作る磁気の光子は、地球の引力の反対方向に引力を作る。この引力は、地球の引力の反引力(反重力)になる。この作用は、重力の反対方向に働くので、地球を飛び立つ力になる。
電子を地球の表面の電子のラブの螺旋回転と反対方向に回転させる。もし、地球の表面の電子のラブの螺旋回転が右方向であるならば、左方向に回転させる。そうする事によって、左方向に回転する電磁気ができる。この磁気の光子は、地球の引力の反対方向に引力を作るので、反発力となり、地球を飛び立つ力となる。
陽子は核磁子を作る。そして、回転方向は電子と反対方向である。それで、もし、陽子を電子のように回転させたら、左方向に回転する磁気の光子ができる。この左方向に回転する磁気の光子は、地球の引力の反対方向に引力を作るので、反発力となり、地球を飛び立つ力となる。
【請求項２】
地球の電子が回転する反対方向に電子を回転させる。その事によって、地球の電子が作る磁気の光子の回転と反対方向に回転する磁気の光子ができる。磁気の光子の回転方向が逆であるから、反発力が生まれる。地球の引力と反対方向に作用する力は、地球を飛び立つ力になる。
陽子のラブは電子のラブと反対方向に回転するので、この回転方向を利用する。陽子のラブを回転させて、磁気の光子を作る。この磁気の光子は、地球の電子のラブが作る磁気の光子の回転方向と逆回転方向になるので、反発力になる。
【発明の詳細な説明】
【技術分野】
【０００１】
本発明は、磁気体に関するものである。
【背景技術】
【０００２】
私は、電子の中に、超微粒子が有り、その名を電子のラブと名付けた。電子のラブの質量は、9.1095×10-31ｇです。電子のラブは自転しながら公転している。自転し磁気の光子を作り、公転し電気の光子を作っている。陽子の中に、超微粒子が有り、その名を陽子のラブと名付けた。陽子のラブの質量は、1.67265×10-27ｇです。陽子のラブは自転しながら公転している。自転し磁気の光子を作り、公転し電気の光子を作っている。
この磁気の光子が引力を作っている。
【先行技術文献】
【非特許文献】
【０００３】
【特許文献１】特願2003-410999
【特許文献２】特願2005-174230
【特許文献３】特願2006-64841
【特許文献４】特願2006-104642
【特許文献５】特願2006-124382
【特許文献６】特願2006-336352
【特許文献７】特願2007-38527
【特許文献８】特願2007-67506
【特許文献９】特願2008-51218
【特許文献１０】特願2009-145952
【特許文献１１】特願2011-151316
【発明の概要】
【発明が解決しようとする課題】
【０００４】
地球の磁気の方向と反対方向に回転する磁気の光子はどのように作用するか。
【課題を解決するための手段】
【０００５】
2本の平行な導線に電流を流す。同じ方向に電流を流す時、引力ができ、逆方向に電流を流す時、反発力ができる。これは、同じ方向に電流を流す時、2本の導線でできる磁気の光子は同じ方向に回転する磁気の光子を作るからです。同じ方向に回転する磁気の光子は引力を作る。また、逆方向に電流を流す時、2本の導線でできる磁気の光子は逆方向に回転する磁気の光子を作る。それで、磁気の光子は反発し合う。
この原理を応用する。
地球の表面の元素の最外殻の電子のラブが作る磁気の光子は地球の引力を作っている。それで、地球の表面の電子のラブの螺旋回転と反対方向に回転する電子のラブが作る磁気の光子は、地球の引力の反対方向に引力を作る。この引力は、地球の引力の反引力(反重力)になる。この作用は、重力の反対方向に働くので、地球を飛び立つ力になる。
電子を地球の表面の電子のラブの螺旋回転と反対方向に回転させる。もし、地球の表面の電子のラブの螺旋回転が右方向であるならば、左方向に回転させる。そうする事によって、左方向に回転する電磁気ができる。この磁気の光子は、地球の引力の反対方向に引力を作るので、反発力となり、地球を飛び立つ力となる。
陽子は核磁子を作る。そして、回転方向は電子と反対方向である。それで、もし、陽子を電子のように回転させたら、左方向に回転する磁気の光子ができる。この左方向に回転する磁気の光子は、地球の引力の反対方向に引力を作るので、反発力となり、地球を飛び立つ力となる。
【発明の効果】
【０００６】
次の事が理解できた。
磁気の光子の回転を逆回転する事により、反重力が生じ、上に飛び立つ事ができる。
【図面の簡単な説明】
【０００７】
【図１】図1は、地球の表面の元素の最外殻の電子のラブが回転し、磁気の光子ができる。この磁気の光子が地球の重力を作っている。電子のラブを反対方向に回転させ、逆回転の磁気の光子を作る。逆回転の磁気の光子は重力の反対方向に作用し、反発力になり、地球を飛び立つ力になる。
【発明を実施するための形態】
【０００８】
地球の電子が回転する反対方向に電子を回転させる。その事によって、地球の電子が作る磁気の光子の回転と反対方向に回転する磁気の光子ができる。磁気の光子の回転方向が逆であるから、反発力が生まれる。地球の引力と反対方向に作用する力は、地球を飛び立つ力になる。
陽子のラブは電子のラブと反対方向に回転するので、この回転方向を利用する。陽子のラブを回転させて、磁気の光子を作る。この磁気の光子は、地球の電子のラブが作る磁気の光子の回転方向と逆回転方向になるので、反発力になる。
【産業上の利用可能性】
【０００９】
ロケットの打ち上げに利用できる。
【符号の説明】
【００１０】
１  地球の磁気の光子の回転
2  地球の磁気の光子の逆回転を作る。
3  反発力
4  地球
5  この反発力で上昇する。
【図１】
2013174148.tif 000003
(57)【要約】      （修正有）【課題】現場にて組立構造で作業能率にも優れた安全退避所としての鉄骨耐震ユニットを提供する。【解決手段】鉄骨柱、桁１を主材に筋カイ２、ボールト３天井デッキ４、全て鉄材で構成する。【選択図】なし【特許請求の範囲】
【請求項１】
鉄製柱、桁（１）を主材に筋カイ（２）ボールト（３）天井デッキ（４）から構造物とした鉄骨耐震ユニット
【発明の詳細な説明】
【技術分野】
【０００１】木造住宅の地震対策として併設する建築に関するものである。
【背景技術】
【０００２】従来木造建築物に鉄骨固定室は別だった。
【先行技術文献】
【０００３】
【特許文献１】
【非特許文献１】
【発明の概要】
【発明が解決しようとする課題】
【０００４】これは次の様な欠点が有った。従来木造住宅は地震に弱く、落下物も危険だった。この発明は以上の様な欠点を無くするためのものである。
【課題を解決するための手段】
【０００５】鉄骨Ｈ鋼を取材と剛接合継手の施工で、安全退避所としての耐震ユニットである。
【発明の効果】
【０００６】将来起こると言う大地震に安全な場所（部屋）として、一級建築士の書面をいただいている。
【図面の簡単な説明】
【０００７】
【図１】平面図、側面図、正面図である。
【発明を実施するための形態】
【０００８】以下、本発明を実施するための形態について説明する。
鉄材柱材を取材に、筋カイ（２）と剛接合ハイテンボルト（３）にて変形を防ぎ、天井デッキプレート（４）は落下物を止め災害から守る構造物で、本発明は震災に対応する安全空間である。
【符号の説明】
【０００９】１  柱、桁のＨ型鋼
２  筋カイ
３  継手ボルト
４  天井のデッキプレート
2013174117.tif 000002